(57)【要約】【課題】タッチ操作をすることで入力を容易にしているタッチパネル入力機能付き表示装置は、想定していないタッチ操作が行われた場合、前の状態に戻せなくなるという問題点がある。また、タッチ操作による設定操作を禁止する機能を表示装置に簡単な機構で追加するのは困難な場合がある。【解決手段】タッチパネル入力機能付き表示装置において、画面操作禁止フェーズと、画面操作可能フェーズの状態を区別する状態フラグと、画面操作禁止フェーズにおいてタッチパネル式表示装置のタッチ操作の回数を記録する接触カウンターと、タイマー・カウンターと、を備える。【選択図】図2
2015125682.tif 000002
【特許請求の範囲】
【請求項１】
タッチパネル入力機能付き表示装置において、
ポインティング検出部と、判定部と、制御部と、表示デバイスとから構成するとともに、画面操作禁止フェーズと画面操作可能フェーズで異なる処理を実行する
ことを特徴とするタッチパネル入力機能付き表示装置。
【請求項２】
請求項１において、
前記ポインティング検出部は、画面表面に接触があるとき、接触信号を前記判定部に伝えるとともに、前記接触信号を受けた、前記判定部は、前期接触は誤動作による接触か、正常な接触かを判定して、正常な接触と判定したとき前記制御部に規定信号を伝える
ことを特徴とするタッチパネル入力機能付き表示装置。
【請求項３】
請求項１において、
前記制御部は、前記画面操作禁止フェーズと、前記画面操作可能フェーズの状態を区別するのに使用する状態フラグと、タッチパネル式表示装置の画面接触の回数を記録する接触カウンターと、タイマー・カウンターと、を備える
ことを特徴とするタッチパネル入力機能付き表示装置。
【請求項４】
請求項１において、
前記画面操作可能フェーズと前記画面操作禁止フェーズは、それぞれ前記状態フラグにセットする第１のコードと第２のコードで規定する
ことを特徴とするタッチパネル入力機能付き表示装置。
【請求項５】
請求項１において、
前記接触カウンターは、前記画面操作禁止フェーズにおいてタッチパネル式表示装置の画面接触の回数を記録する
ことを特徴とするタッチパネル入力機能付き表示装置。
【請求項６】
請求項１において、
前記表示画面の特定領域を接触することで、前記状態フラグを前記第２のコードに変更することで前記画面操作禁止フェーズに移行する
ことを特徴とするタッチパネル入力機能付き表示装置。
【請求項７】
請求項１において、
前記画面操作禁止フェーズにおいて、前記画面を接触する時、前記画面操作可能フェーズに移行する特定な操作以外、特定な処理を実行しない
ことを特徴とするタッチパネル入力機能付き表示装置。
【請求項８】
請求項１において、
前記画面操作禁止フェーズにおいて、前記タイム・カウンターがカウントアップ完了時、前記接触カウンターの接触回数が規定した数値と一致した場合、前記状態フラグを第１のコードに変更することで前記画面操作可能フェーズに移行する
ことを特徴とするタッチパネル入力機能付き表示装置。
【発明の詳細な説明】
【技術分野】
【０００１】
この発明は、タッチパネル入力機能付きの小型携帯型の表示装置および、プロセス制御監視システムのタッチパネル入力機能付きの固定設置型の表示装置に関するものである。
【背景技術】
【０００２】
タッチパネル入力機能付き表示装置は、表示画面を見ながらタッチ操作をすることで入力を容易にしている。またその装置に関しては軽量なものがある。文献１のタッチパネル入力機能付き表示装置において、持ち運びに便利という利点がある。
【先行技術文献】
【特許文献】
【０００３】
【特許文献１】特開２００９−８０５２１公報
【発明の概要】
【発明が解決しようとする課題】
【０００４】
文献１で開示されたタッチパネル入力機能付き表示装置において、持ち運ぶ際に想定していないタッチ操作が行われた場合、持ち運ぶ前の状態に戻せなくなるという問題点がある。さらに作業員に装置の表示画面を見せる時、タッチ操作による設定操作を禁止する機能を表示装置に簡単な機構で追加するのが困難な場合がある。携帯型のタッチパネル入力機能付き表示装置と同様に、タッチパネル入力機能付きであるが、固定設置型のプロセス制御監視システム用表示装置においても設定操作を禁止する機能を簡単に付加できない場合がある。
【課題を解決するための手段】
【０００５】
タッチパネル入力機能付き表示装置であって、画面操作禁止フェーズと、画面操作可能フェーズの状態を区別する状態フラグを備えるとともに、画面操作禁止フェーズにおいてタッチパネル式表示装置のタッチ操作の回数を記録する接触カウンターと、タイマー・カウンターと、を備えるものである。
【発明の効果】
【０００６】
携帯可能なタッチパネル入力機能付き表示装置において、画面表示された状態で移動する、誤操作で意図しない設定が行われなくなる。
また、携帯可能ないし、設置型のタッチパネル入力機能付き表示装置において、表示画面は見える状態でタッチ操作ができなくなることから、設定操作が分からない作業員に画面を見せる場合、作業員による誤操作を防止するとともに、表示装置の画面のクリーニングを行う時にも有用である。
【図面の簡単な説明】
【０００７】
【図１】本発明に係わる、タッチパネル入力機能付き表示装置のブロック図
【図２】本発明に係わる、画面操作禁止フェーズに移行する判定と処理を        表すフローチャート
【図３】本発明に係わる、画面操作可能フェーズに移行する判定と処理を        表すフローチャート
【発明を実施するための最良の形態】
【０００８】
本発明の実施の形態１.を図１から図３を参照しながら詳細に説明する。
【０００９】
実施の形態１．
【００１０】
図１は本発明の実施の形態に係るタッチパネル入力機能付き表示装置の構成を示すブロック図である。
【００１１】
４は液晶パネルで構成される表示デバイスである。前記表示デバイス４の表面に物体が接触することを検出するポインティング検出部１を載せている。前記ポインティング検出部１の表面を接触する前記物体は、作業員の指、スタイラス・ペン、金属棒、ガラス棒など前記ポインティング検出部１が検出するものであればどれでも良い。
前記ポインティング検出部１は、検出機能として静電圧感知シートと、シート上の検出した位置や接触の強さなどを意味する接触信号を外部に取り出す電極（図示せず）を備えている。前記接触信号は、判定部２に送られる。前記接触信号を受けた、前記判定部２は、誤動作による接触か、正常な接触かを判定する規定のアルゴリズムで処理した後、判定結果を意味する特定信号を制御部３に伝える。前記制御部３は、特定処理を実行するとともに、前記接触に対する前記タッチパネル入力機能付き表示装置の反応を意味する特定イメージを表示させる制御信号を前記表示デバイス４に送る。前記表示デバイス４は、前記制御部３から送られた規定信号に基づいて前記特定イメージを描く。前記特定イメージには、本発明のタッチパネル入力機能付き表示装置を操作した作業員が認識する図形であればどのような図形であってもかまわない。
前記図１の矢印は、前記ポインティング検出部１、前記判定部２、前記制御部３そして前記表示デバイス４に流れる、信号ないし制御の方向を表す。
【００１２】
本発明のタッチパネル入力機能付き表示装置は、画面操作可能フェーズと画面操作禁止フェーズの２つのフェーズを備えている。前記２つのフェーズの違いは、記録装置（図示せず）に置かれた状態フラグ（図示せず）にセットされた特定コードの違いで区別する。前記画面操作可能フェーズでの接触時の動作内容は、文献１に記述しているのと同じである。前記画面操作可能フェーズから前記画面操作禁止フェーズに切り替わると、特定な前記画面操作可能フェーズ操作以外、前記ポインティング検出部１への接触に対して、前記制御部３はいかなる処理も実行しない。
【００１３】
図２は、前記ポインティング検出部１の禁止操作アイコン（図示せず）の表示領域内での接触の有無から始まって、前記制御部３が実行する記画面操作禁止フェーズの状態に移行する処理を説明するフローチャートである。前記禁止操作アイコンの表示領域で接触したと判断することを、画面操作禁止確定とする。前記画面操作禁止確定の後、前記状態フラグに対して、前記画面操作可能フェーズを意味する第１のコードから、前記画面操作禁止フェーズを意味する第２のコードに書き換える。同時に接触カウンター（図示せず）をクリアーする。
【００１４】
図３は、前記画面操作禁止フェーズにおいて、前記画面操作禁止フェーズを解除して前記画面操作可能フェーズに移行する処理の流れを表すフローチャートである。
【００１５】
前記画面操作禁止フェーズから前記画面操作可能フェーズに切り変える操作は幾つか想定されるが、本発明は、異なる１０個の領域での接触がなされた操作と規定する。接触数を１０としたのは、作業員の両手の指１０本を想定したからである。
【００１６】
前記ポインティング検出部１が第１の接触を検知すると、接触信号が前記判定部２に送られる。記判定部２は、第１の接触と判定すると、前記制御部３に規定信号を伝える。前記制御部３はタイマー・カウンター（図示せず）を起動させとともに前記接触カウンターに対して数値１を書き込む。前記タイマー・カウンターが規定の数値にカウントアップしてカウントアップ完了するまでの間に、画面で第２から第１０までの接触が有るのか、または無いのかを判別し必要な処理を実行するのが、破線で囲まれた領域での処理内容である。
【００１７】
前記ポインティング検出部１が第２の接触を検知すると、接触信号が前記判定部２に送られる。前記タイマー・カウンターがカウントアップ動作中でかつ前記判定部２が第２の接触と判定したとき、前記制御部３は前記接触カウンターに対して、数値を１だけ加算する。
【００１８】
前記ポインティング検出部１での第３から、第１０までの接触の検出に関する、前記判定部２および、前記制御部３での処理は、前記第２の接触の検出、判定と、その後に行われる処理と同じである。
【００１９】
前記タイマー・カウンターがカウントアップ動作中で、かつ前記タイマー・カウンターの数値が繰り上がるまでの時間内で、画面の異なる位置で複数の接触が起きた場合、前記制御部３は、前記接触カウンターに対して接触した数値だけ加算する。
【００２０】
前記タイマー・カウンターがカウントアップを完了した時、前記接触カウンターの数値が１１以上、または９以下である場合、前記タイマー・カウンターを停止するとともに、前記タイマー・カウンターおよび前記接触カウンター、をクリアーする。
【００２１】
前記タイマー・カウンターがカウントアップを完了した時、前記接触カウンターの数値が１０と一致した場合、画面操作可能フェーズへの移行信号であると前記制御部３が判断することが、画面操作可能確定である。
前記画面操作可能確定と判断した後、前記タイマー・カウンターを停止するとともに、前記タイマー・カウンターおよび前記接触カウンター、をクリアーする。次に画面操作可能処理に進む。前期画面操作可能処理とは、前記状態フラグを、画面操作禁止フェーズを意味する第２のコードから画面操作可能フェーズを意味する第１のコードに書き換える処理のことである。
【００２２】
前記タッチパネル入力機能付き表示装置は、電源投入直後、ないしリセットキー（図示せず）、が押された時、前記制御３は、前記タイマー・カウンターを停止するとともに、前記タイマー・カウンターおよび前記接触カウンター、をクリアーする。また前記状態フラグに前記第１のコードを書き込むとともに、初期画面を意味する特定イメージないし描写制御信号を前記表示デバイス４に送る。前記表示デバイス４は、前記特定イメージを描写する。
【００２３】
前記タイマー・カウンターがカウントアップ完了と定義する数値および、カウントアップが１段繰り上がる時間幅は、事前に規定してもよいし、作業員が入力装置（図示せず）に入力してもよい。
【００２４】
本発明は、画面操作可能フェーズへの移行は、接触する数値を１０としたが、この数値は任意の値であってもかまわない。また同じ領域で、タップ動作を任意の回数行ってもよい。接触だけでなく、画面上で任意の形をなぞることでもよい。
【符号の説明】
【００２５】
１                ポインティング検出部
２                判定部
３                制御部
４                表示デバイス
【図１】
2015125682.tif 000003
【図２】
2015125682.tif 000004
【図３】
2015125682.tif 000005